(57)【要約】      （修正有）【課題】溝部と窓孔が形成されている筒状嵌合部が破損するのを防止する。【解決手段】コネクタは、端子収容部１２を筒状嵌合部１３で包囲した形態の第１ハウジング１０と、筒状嵌合部１３の先端部内周に形成された方形断面の溝部２２と、筒状嵌合部１３に形成された窓孔２０と、端子保持部からフード部を延出させた形態の第２ハウジングと、フード部の先端部外周に形成された突部とを備え、溝部２２に突部を進入させながら両ハウジングを嵌合させる。筒状嵌合部１３には、筒状嵌合部１３のうち溝部２２と対応する溝対応領域１３Ａの少なくとも一部と溝対応領域１３Ａに隣接する溝隣接領域１３Ｂの少なくとも一部とを外面側へ盛り上げた形態の補強部２３が形成されている。【選択図】図２
2011040327.tif 000002
【特許請求の範囲】
【請求項１】
端子収容部を筒状嵌合部で包囲した形態の第１ハウジングと、
前記筒状嵌合部の先端部内周に形成された方形断面の溝部と、
前記筒状嵌合部に形成され、前記端子収容部内に組み付けられるリテーナを挿通させるための貫通形態の窓孔と、
端子保持部からフード部を延出させた形態の第２ハウジングと、
前記フード部の先端部外周に形成された突部とを備え、
前記フード部を前記端子収容部と前記筒状嵌合部との隙間に進入させるとともに、前記溝部に前記突部を進入させることによって前記第１ハウジングと前記第２ハウジングを嵌合させるようになっているコネクタにおいて、
前記筒状嵌合部には、前記筒状嵌合部のうち前記溝部と対応する溝対応領域の少なくとも一部と前記溝対応領域に隣接する溝隣接領域の少なくとも一部とを外面側へ盛り上げた形態の補強部が形成されていることを特徴とするコネクタ。
【請求項２】
前記補強部は、前記筒状嵌合部の先端縁に沿ってリブ状に延びる部分を有していることを特徴とする請求項１記載のコネクタ。
【請求項３】
前記補強部は、前記筒状嵌合部の先端縁から前記窓孔の開口縁に至る領域に亘ってリブ状に延びる部分を有していることを特徴とする請求項１又は請求項２記載のコネクタ。
【請求項４】
前記窓孔の開口縁は、前記開口縁のうち前記筒状嵌合部の先端縁に近い前縁の端部に位置する角縁部を有しており、
前記補強部は、前記角縁部に臨む部分を有していることを特徴とする請求項１ないし請求項３のいずれか１項に記載のコネクタ。
【発明の詳細な説明】
【技術分野】
【０００１】
本発明は、コネクタに関するものである。
【背景技術】
【０００２】
特許文献１には、端子収容部を筒状嵌合部で包囲した形態の第１ハウジングと、端子保持部からフード部を延出させた形態の第２ハウジングとを備え、フード部を端子収容部と筒状嵌合部との隙間に進入させることによって両ハウジングを嵌合させるコネクタが開示されている。
【０００３】
このコネクタでは、全体形状と寸法が同じである複数種類の第１ハウジングと第２ハウジングが用意され、その中から適正な組み合わせの第１ハウジングと第２ハウジングを嵌合させるようになっている。そして、フード部の先端部外周にリブ状の突部を形成するとともに、筒状嵌合部の先端部内周に方形断面の溝部を形成し、突部と溝部の位置を適正な組合わせ毎に変更することにより、不正な組合わせのハウジング同士が誤って嵌合されるのを防止するようになっている。
【０００４】
また、特許文献２には、第１ハウジングと、第１ハウジングに回動可能に設けられたレバーと、第１ハウジングと嵌合可能な第２ハウジングと、第２ハウジングに設けられたカムフォロアとを備え、レバーを回動させるのに伴い、レバーのカム溝とカムフォロアとの係合によるカム作用によって両ハウジングが嵌合されるようになっているレバー式のコネクタが開示されている。
【０００５】
このコネクタでは、レバーの回動中心の位置と、カム溝とカムフォロアの係合位置とが、両ハウジングの嵌合方向に沿って離間して並ぶように配置されているため、カム溝とカムフォロアとの係合位置を支点として両ハウジングの姿勢が傾くことが懸念される。そこで、一方のハウジングに両ハウジングの嵌合方向に沿ったガイド溝を形成し、他方のハウジングに両ハウジングの嵌合方向に沿ったリブを形成し、このガイド溝とリブの嵌合によってハウジング間の姿勢の傾き防止を図っている。
【先行技術文献】
【特許文献】
【０００６】
【特許文献１】特開２００４−３４２３７３号公報
【特許文献２】特開２００３−１５１６８４号公報
【発明の概要】
【発明が解決しようとする課題】
【０００７】
特許文献１に記載されたコネクタにおいては、端子収容部に対し側方からリテーナを組み付け、端子収容部内に挿入された端子金具をリテーナの係止作用によって抜止めする構造を採用することができる。この場合、リテーナを側方から端子収容部に組み付けるために、筒状嵌合部には貫通形態の窓孔が形成されるのであるが、このように筒状嵌合部に窓孔が形成された場合には、次のような不具合が懸念される。
【０００８】
筒状嵌合部のうち方形断面の溝部が形成されている領域に外力が作用したときには、溝部の角隅部に応力が集中する。そのため、上記の窓孔と溝部とが近い位置に配置されている場合には、筒状嵌合部に外力が作用したときに、溝部の角隅部から窓孔の開口縁に至る亀裂が発生し、筒状嵌合部が破損する虞がある。
【０００９】
また、特許文献２に記載されたコネクタの場合、ガイド溝とリブとの間のクリアランスを大きくすると、ハウジング間の傾き防止の機能が低減してしまうため、ガイド溝とリブとの間のクリアランスを詰めることが好ましい。ところが、クリアランスを詰めると、ガイド溝とリブとの間の摩擦力が増大するので、嵌合抵抗が大きくなってしまう。このような事情があるため、特許文献２に記載されたコネクタでは、嵌合抵抗の低減を図りながら、両ハウジング間の傾きを確実に防止できるようにするための手段が望まれる。
【００１０】
本発明は上記のような事情に基づいて完成されたものであって、溝部と窓孔が形成されている筒状嵌合部が破損するのを防止することを目的とする。
【課題を解決するための手段】
【００１１】
上記の目的を達成するための手段として、請求項１の発明は、端子収容部を筒状嵌合部で包囲した形態の第１ハウジングと、前記筒状嵌合部の先端部内周に形成された方形断面の溝部と、前記筒状嵌合部に形成され、前記端子収容部内に組み付けられるリテーナを挿通させるための貫通形態の窓孔と、端子保持部からフード部を延出させた形態の第２ハウジングと、前記フード部の先端部外周に形成された突部とを備え、前記フード部を前記端子収容部と前記筒状嵌合部との隙間に進入させるとともに、前記溝部に前記突部を進入させることによって前記第１ハウジングと前記第２ハウジングを嵌合させるようになっているコネクタにおいて、前記筒状嵌合部には、前記筒状嵌合部のうち前記溝部と対応する溝対応領域の少なくとも一部と前記溝対応領域に隣接する溝隣接領域の少なくとも一部とを外面側へ盛り上げた形態の補強部が形成されているところに特徴を有する。
【００１２】
請求項２の発明は、請求項１に記載のものにおいて、前記補強部は、前記筒状嵌合部の先端縁に沿ってリブ状に延びる部分を有しているところに特徴を有する。
【００１３】
請求項３の発明は、請求項１又は請求項２に記載のものにおいて、前記補強部は、前記筒状嵌合部の先端縁から前記窓孔の開口縁に至る領域に亘ってリブ状に延びる部分を有しているところに特徴を有する。
【００１４】
請求項４の発明は、請求項１ないし請求項３のいずれかに記載のものにおいて、前記窓孔の開口縁は、前記開口縁のうち前記筒状嵌合部の先端縁に近い前縁の端部に位置する角縁部を有しており、前記補強部は、前記角縁部に臨む部分を有しているところに特徴を有する。
【００１５】
また、特許文献２に記載されたコネクタにおいて求められる課題、即ち、嵌合抵抗の低減を図りながら両ハウジング間の傾きを確実に防止するという課題を解決する手段Ａとしては、第１ハウジングと、前記第１ハウジングに回動可能に設けられたレバーと、前記第１ハウジングと嵌合可能な第２ハウジングと、前記第２ハウジングに設けられたカムフォロアとを備え、前記レバーの回動に伴い、前記レバーのカム溝と前記カムフォロアとの係合によるカム作用によって前記第１ハウジングと前記第２ハウジングが嵌合されるようになっているレバー式のコネクタにおいて、前記第１ハウジングには、前記第１ハウジングと前記第２ハウジングの嵌合方向に沿って延びた第１規制面が形成され、前記第２ハウジングには、前記第１ハウジングと前記第２ハウジングの嵌合方向に沿って延びた形態であって、前記第１規制面と対向可能な第２規制面が形成され、前記第１規制面と前記第２規制面のうち少なくとも一方の前記規制面には、リブ状に突出した形態であって他方の前記規制面に当接可能な規制突起が、前記第１ハウジングと前記第２ハウジングの嵌合方向に沿って延びるように形成され、前記規制突起の突出端縁が尖った形態となっている構成とすることができる。
【００１６】
この解決手段Ａの構成によれば、第１ハウジングと第２ハウジングを嵌合する過程では、一方の規制面に形成された規制突起が他方の規制面に当接することにより、両ハウジング間の傾きが規制される。規制突起は、両ハウジングの嵌合方向に沿って延びるようにリブ状に形成され、規制突起の突出端縁が尖った形態となっているので、規制突起と他方の規制面との間の接触面積が小さく抑えられ、嵌合抵抗が低減される。
【００１７】
また、解決手段Ｂとしては、解決手段Ａにおいて、前記第１ハウジングと前記第２ハウジングのうち一方の前記ハウジングには、通電時の電流値が異なる複数種類の雄端子金具が設けられているとともに、前記複数種類の雄端子金具を区画する仕切壁が形成され、前記第１ハウジングと前記第２ハウジングのうち他方の前記ハウジングには、前記仕切壁を進入させるための逃がし溝が形成され、前記仕切壁の外面と前記逃がし溝の内面が前記規制面とされている構成としてもよい。
この解決手段Ｂの構成によれば、通電時の電流値が異なる雄端子金具同士を区画するための仕切壁と、仕切壁を進入させるための逃がし溝を、規制面として有効利用したので、ハウジングの形状の簡素化を図ることができる。
【００１８】
また、解決手段Ｃとしては、解決手段Ｂにおいて、前記規制突起が、前記逃がし溝の内面のみに配置されている構成としてもよい。
この解決手段Ｃの構成によれば、規制突起を逃がし溝内にのみに配置したので、規制突起が外部からの干渉を受け難く、規制突起を変形や損傷から保護することができる。
【発明の効果】
【００１９】
＜請求項１の発明＞
筒状嵌合部に補強部を形成したことにより、筒状嵌合部のうち溝部と対応する溝対応領域と溝対応領域に隣接する溝隣接領域とが厚肉とされているのであるが、この厚肉とされた部分は、筒状嵌合部のうち溝部の角隅部を含む。したがって、筒状嵌合部に外力が作用しても、溝部の角隅部に応力が集中することがなく、溝部の角隅部の先端から窓孔の開口縁に至る亀裂が発生する虞はない。これにより、溝部と窓孔が形成されている筒状嵌合部の破損が防止される。
【００２０】
＜請求項２の発明＞
筒状嵌合部が外力の作用に起因して亀裂を生じる場合、亀裂は筒状嵌合部の先端縁を始端として発生し易いのであるが、本発明では、補強部の一部が筒状嵌合部の先端縁に沿ってリブ状に延びた形態となっているので、筒状嵌合部の先端縁を始端として亀裂が生じる虞はない。
【００２１】
＜請求項３の発明＞
筒状嵌合部に外力が作用したときに生じ得る亀裂の発生領域は、筒状嵌合部の先端縁から窓孔の開口縁に至る範囲であるが、本発明では、補強部の一部が、亀裂が発生し得る領域に亘ってリブ状に延びているので、亀裂の発生を確実に防止することができる。
【００２２】
＜請求項４の発明＞
窓孔の開口縁が角縁部を含む形態である場合、筒状嵌合部に外力が作用したときにその角縁部に応力が集中し、角縁部を基端又は終端とする亀裂が筒状嵌合部に発生することが懸念される。しかし、本発明では、補強部の一部が角縁部に臨むように形成されているので、筒状嵌合部に外力が作用したときに、角縁部に応力が集中する虞はなく、角縁部を基端又は終端とする亀裂が筒状嵌合部に発生することが防止される。
【図面の簡単な説明】
【００２３】
【図１】実施形態１の第１ハウジングの平面図
【図２】第１ハウジングの側面図
【図３】リテーナが仮係止位置にある状態をあらわす第１ハウジングの断面図
【図４】リテーナが本係止位置にある状態をあらわす第１ハウジングの断面図
【図５】第２ハウジングの正面図
【図６】第２ハウジングの断面図
【図７】第２ハウジングのフード部を嵌合した状態をあらわす第１ハウジングの正面図
【図８】両ハウジングが傾いた不正な姿勢で嵌合されている様子をあらわす断面図
【図９】両ハウジングが傾かずに正しい姿勢で嵌合されている様子をあらわす断面図
【図１０】図７の部分拡大図
【発明を実施するための形態】
【００２４】
＜実施形態１＞
以下、本発明を具体化した実施形態１を図１乃至図１０を参照して説明する。本実施形態のコネクタは、レバー６０を用いて第１ハウジング１０と第２ハウジング７０とを嵌合させるようにしたものである。
【００２５】
第１ハウジング１０は、合成樹脂製であり、ハウジング本体１１と、ハウジング本体１１に取り付けられる２種類の雌端子金具３０Ａ，３０Ｂと、ハウジング本体１１に組み付けられる電線カバー４０と、ハウジング本体１１に組み付けられるリテーナ５０と、電線カバー４０に組み付けられるレバー６０とを備えて構成されている。
【００２６】
ハウジング本体１１は、太夫方向に長いブロック状をなす端子収容部１２と、端子収容部１２を包囲する形態の筒状嵌合部１３とを一体に形成したのである。筒状嵌合部１３は、その後端部において端子収容部１２の外面に連なっており、端子収容部１２の外面と筒状嵌合部１３の内面との間には、前方に開放された筒状の嵌合空間１４が構成されている。端子収容部１２内には、動力用と信号用の２種類の雌端子金具３０Ａ，３０Ｂが収容されている。動力用の雌端子金具３０Ａは左右両端部に配置され、信号用の雌端子金具３０Ｂは、動力用の雌端子金具３０Ａの間の領域に配置されている。動力用の雌端子金具３０Ａには、比較的大きな電流が流れるのに対し、信号用の雌端子金具３０Ｂに流れる電流値は動力用の雌端子金具３０Ａよりも小さい。
【００２７】
ハウジング本体１１には、その背面を覆う電線カバー４０が取り付けられている。各雌端子金具３０Ａ，３０Ｂに接続された電線３１は、ハウジング本体１１の背面（後面）から導出され、電線カバー４０内において側方へ屈曲され、電線カバー４０の外部へハウジング本体１１の背面と略平行に引き出されている。電線カバー４０の上下両外面には、軸線を上下方向（両ハウジング１０，７０の嵌合方向と直角な方向）に向けた一対の支持軸４１が形成されている。
【００２８】
端子収容部１２には、左右両外側面のうち一方の外側面に開口する収容空間１５が形成されており、この収容空間１５には雌端子金具３０Ａ，３０Ｂが臨んでいる。この収容空間１５内には、側方（両ハウジング１０，７０の嵌合方向と直交する方向）からリテーナ５０が差し込まれるようにして組み付けられている。リテーナ５０は、端子収容部１２に対し、仮係止位置（図３を参照）と、仮係止位置よりも差込み深さが深い本係止位置（図４を参照）のうちいずれかの係止位置に選択的に保持されるようになっている。リテーナ５０が仮係止位置の保持されている状態では、端子収容部１２に対し雌端子金具３０Ａ，３０Ｂの挿入と抜取りが許容される。リテーナ５０が本係止位置に保持されている状態では、端子収容部１２に収容されている雌端子金具３０Ａ，３０Ｂが、リテーナ５０の係止作用により抜止め状態に保持される。
【００２９】
端子収容部１２には、その前面をスリット状に凹ませた形態であって、動力用の雌端子金具３０Ａが配置されている領域と信号用の雌端子金具３０Ｂが配置されている領域とを仕切る左右一対の逃がし溝１６が形成されている。逃がし溝１６は、後述する仕切壁７５との干渉を回避するための溝であって、全体として上下方向に延びていて、上下方向における略中央位置が段差状に屈曲されている。逃がし溝１６の上端と下端は、端子収容部１２の上面と下面に開口されている。逃がし溝１６の内面は、第１規制面１７となっている。端子収容部１２には、後述する補強壁７７との干渉を回避するために、逃がし溝１６から端子収容部１２の左右両外側面に開口する干渉回避溝１８が形成されている。
【００３０】
第１規制面１７には、図１０に示すように、複数対の規制突起１９が形成されている。規制突起１９は、両ハウジング１０，７０の嵌合方向と平行に直線的に延びた形態であって、第１規制面１７からリブ状に突出している。規制突起１９の延び方向（前後方向）と直角な断面形状は三角形とされていて、規制突起１９の突出端縁は尖った形態となっている。また、規制突起１９の第１規制面１７からの突出方向は、左方又は右方となっている。つまり、規制突起１９の突出方向は、両ハウジング１０，７０の嵌合方向と直角であり、且つ、後述するレバー６０の回動中心（支持軸４１）と直角な方向である。また、対をなす規制突起１９は、その第１規制面１７からの突出方向が左右方向において互いに逆向きであって、互いに対向するように配置されている。尚、図１０において、規制突起１９の大きさは、便宜上誇張している。また、図３，４，７，８，９では、規制突起１９の図示を省略している。
【００３１】
筒状嵌合部１３を構成する周壁のうち収容空間１５と対応する側壁部には、左右方向（端子収容部１２に対するリテーナ５０の組み付け方向）に貫通する窓孔２０が形成されている。リテーナ５０は、窓孔２０を通して端子収容部１２に組み付けられるようになっている。図２に示すように、窓孔２０の開口縁は、筒状嵌合部１３の前端縁と平行（両ハウジング１０，７０の嵌合方向と直角な方向）をなす前縁２１Ｆと、前縁２１Ｆに対しその上下両端において直角に連なる上下一対の側縁２１Ｓと、両側縁２１Ｓの後端に連なる後縁２１Ｒとから構成される。そして、前縁２１Ｆの上下両端部と側縁２１Ｓの前端部とが直角に連なる部分は、角縁部２１Ｃとなっている。
【００３２】
筒状嵌合部１３には、その左右両側壁部の内面を切欠した形態の複数の溝部２２が形成されている。図７に示すように、溝部２２は、各側壁部に３本ずつ上下に並列するように形成されている。溝部２２は、両ハウジング１０，７０の嵌合方向（前後方向）と平行に直線的に延びた形態であって、溝部２２の長さ方向と直角な断面形状は、方形とされている。左右両側壁部のうち窓孔２０が形成されている側壁部の溝部２２の前後方向における形成範囲は、筒状嵌合部１３の前端縁から窓孔２０の前縁２１Ｆに至る領域となっている。また、上下方向において、３本の溝部２２の形成範囲は、窓孔２０の前縁２１Ｆの形成範囲内に含まれている。
【００３３】
尚、第１ハウジング１０としては、図に示すものとは別に、上下方向における溝部２２の位置と溝部２２の数が異なるが、それ以外の形態が共通する別の種類のもの（図示省略）が用意されている。これにより、溝部２２は、後述する突部７４と協動して、第１ハウジング１０と第２ハウジング７０が不正な組み合わせで嵌合されるのを防止するための誤嵌合防止手段として機能する。
【００３４】
筒状嵌合部１３のうち窓孔２０が形成されている側壁部においては、窓孔２０と溝部２２が接近して配置されているため、筒状嵌合部１３に外力が作用したときに、溝部２２の角縁部２１Ｃを始端として窓孔２０に至る亀裂が発生することが懸念される。そのため、筒状嵌合部１３の破損防止の手段として、図２に示すように、筒状嵌合部１３のうち窓孔２０が形成されている側壁部に補強部２３を形成し、筒状嵌合部１３の剛性を高めている。補強部２３は、筒状嵌合部１３のうち３本の溝部２２と対応する溝対応領域１３Ａの少なくとも一部と、溝対応領域１３Ａに隣接する溝隣接領域１３Ｂの少なくとも一部とを外面側へリブ状に盛り上げた形態である。
【００３５】
補強部２３は、第１〜第３のリブ状突起２３Ａ〜２３Ｃによって構成されている。第１リブ状突起２３Ａは、筒状嵌合部１３の前端縁（先端縁）に沿って上下方向（３本の溝部２２の並び方向と平行に方向）に直線的に延びた形態であり、第１リブ状突起２３Ａの上下方向における形成範囲は、上端の溝部２２よりも更に上方の位置から、下端の溝部２２よりも更に下方向の位置に至る。換言すると、第１リブ状突起２３Ａは、溝対応領域１３Ａ及び溝隣接領域１３Ｂの両領域に亘って配置され、３本の溝部２２の全てと対応している。
【００３６】
第２リブ状突起２３Ｂは、筒状嵌合部１３の前端縁（先端縁）から窓孔２０の開口縁に至る領域に亘って直線状に延びた形態であって、上下対称に一対設けられている。第２リブ状突起２３Ｂの前端部は第１リブ状突起２３Ａの上下両端部に連なり、第２リブ状突起２３Ｂの後端部は窓孔２０の前縁２１Ｆの上下両端部の近傍に位置する。換言すると、上下両第２リブ状突起２３Ｂは、その上下方向の間隔が前端から後端に向かって次第に拡がるように配置され、両ハウジング１０，７０の嵌合方向及び溝部２２に対して斜め方向に延びている。つまり、第２リブ状突起２３Ｂは、補強部２３が形成されていない場合において筒状嵌合部１３に外力が作用したときに発生すると予想される亀裂に沿った配置とされている。この第２リブ状突起２３Ｂは、第１リブ状突起２３Ａとは異なり、溝対応領域１３Ａから外れて溝隣接領域１３Ｂ内に配置されている。
【００３７】
第３リブ状突起２３Ｃは、窓孔２０の角縁部２１Ｃに臨むように上下対称に一対設けられている。つまり、第３リブ状突起２３Ｃは、角縁部２１Ｃに沿って略直角に屈曲した形態であり、第３リブ状突起２３Ｃの一端部は第２リブ状突起２３Ｂの後端部に連なっている。第３リブ状突起２３Ｃの他端部は、前縁２１Ｆよりも少し後方に位置する。この第３リブ状突起２３Ｃは、その一部が溝隣接領域１３Ｂ内に位置している。
【００３８】
筒状嵌合部１３の外面には、上下対称な一対の第４リブ状突起２３Ｄが、補強部２３の上下両端部に連なった形態で形成されている。上側の第４リブ状突起２３Ｄは、上側の第３リブ状突起２３Ｃの他端部から上方（窓孔２０から離間する方向）へ直線状に延びており、下側の第４リブ状突起２３Ｄは、下側の第３リブ状突起２３Ｃの他端部から下方（窓孔２０から離間する方向）へ直線状に延びている。第４リブ状突起２３Ｄは、溝対応領域１３Ａ及び溝隣接領域１３Ｂからは外れた領域内に位置している。
【００３９】
レバー６０は、合成樹脂製であり、カム溝６３が形成された上下一対の板状をなすアーム部６１と、両アーム部６１の基端部同士を連結する操作部６２とを一体に形成したものである。レバー６０は、電線カバー４０の支持軸４１にアーム部６１を嵌合させることにより、支持軸４１を中心として初期位置と嵌合位置との間で回動可能に支持されている。支持軸４１は、左右方向において第１ハウジング１０のほぼ中央位置に配置されている。
【００４０】
第２ハウジング７０は、合成樹脂製であり、図５及び図６に示すように、端子保持部７１と、端子保持部７１から前方へ突出したフード部７２とを一体に形成したものである。フード部７２の上面壁の外面と下面壁の外面には、夫々、軸線を上下方向（支持軸４１と平行）に向けた上下一対のカムフォロア７３が、同軸状に突出した形態で形成されている。
【００４１】
フード部７２の左右両側面壁には、その外面からリブ状に突出した形態の突部７４が形成されている。突部７４は、第１ハウジング１０の溝部２２と対応するように、各側面壁に３本ずつ上下に並列するように形成され、両ハウジング１０，７０の嵌合方向と平行に直線状に延びている。尚、第２ハウジング７０としては、図に示すものとは別に、上下方向における突部７４の位置と突部７４の数が異なるが、それ以外の形態が共通する別の種類のもの（図示省略）が用意されている。これにより、突部７４は、上述の溝部２２と協動して、不正な組み合わせの第１ハウジング１０と第２ハウジング７０の嵌合を防止するための誤嵌合防止手段として機能する。
【００４２】
端子保持部７１には、動力用と信号用の２種類の雄端子金具８０Ａ，８０Ｂが保持されている。動力用の雄端子金具８０Ａは左右両端部に配置され、信号用の雄端子金具８０Ｂは、動力用の雄端子金具８０Ａの間の領域に配置されている。各雄端子金具８０Ａ，８０Ｂの前端部のタブは、端子保持部７１の前面から突出され、フード部７２により一括して包囲されている。
【００４３】
第２ハウジング７０には、端子保持部７１の前端面から前方へ突出した形態であって、動力用の雄端子金具８０Ａのタブが配置されている領域と信号用の雄端子金具８０Ｂのタブが配置されている領域とを区画する左右一対の仕切壁７５が形成されている。両ハウジング１０，７０が嵌合される際には、各仕切壁７５が対応する逃がし溝１６内に進入するようになっている。つまり、仕切壁７５は、逃がし溝１６と対応する形状及び配置とされている。
【００４４】
仕切壁７５は、全体として上下方向に延びていて、上下方向における略中央位置が段差状に屈曲されている。そして、仕切壁７５の上端と下端は、フード部７２の上面壁と下面壁とに連なっている。この仕切壁７５の外側面は、第２規制面７６となっている。仕切壁７５が逃がし溝１６内に進入すると、第１規制面１７と第２規制面７６とがほぼ平行に対向するとともに、第１規制面１７の規制突起１９の突出端縁が、第２規制面７６に当接するようになっている。また、仕切壁７５は、左右方向の補強壁７７を介してフード部７２の内面に連なっているので、仕切壁７５が左右方向（両ハウジング１０，７０の嵌合方向に対して交差する方向）へ傾いたり湾曲変形したりする虞はない。
【００４５】
次に、本実施形態の作用を説明する。両ハウジング１０，７０を嵌合する際には、予めレバー６０を初期位置に保持し、カム溝６３の入口を第２ハウジング７０側へ開口させておく。この状態で、フード部７２を嵌合空間１４内に進入させながら、両ハウジング１０，７０を浅く嵌合し、カムフォロア７３をカム溝６３の入口に進入させる（図９を参照）。このとき、第１ハウジング１０と第２ハウジング７０が適正な組み合わせであれば、溝部２２と突部７４の配置及び数が合致するので、溝部２２と突部７４が浅く嵌合し、両ハウジング１０，７０の浅い嵌合が支障なく行われる。これに対し、第１ハウジング１０と第２ハウジング７０の組み合わせが不正である場合には、溝部２２と突部７４の位置及び数が合致とないので、不正な組み合わせでの嵌合が未然に防止される。
【００４６】
両ハウジング１０，７０を浅く嵌合した状態から、レバー６０を嵌合位置側へ回動させると、カム溝６３とカムフォロア７３との係合によるカム作用により倍力効果が発揮され、レバー６０の回動が進むのに伴って両ハウジング１０，７０が接近していく。そして、レバー６０が嵌合位置に達すると、両ハウジング１０，７０が正規の嵌合状態になるとともに、雄端子金具８０Ａ，８０Ｂと雌端子金具３０Ａ，３０Ｂが導通可能に接続される。
【００４７】
また、レバー６０の回動中心（支持軸４１）の位置と、カム溝６３とカムフォロア７３の係合位置とが、両ハウジング１０，７０の嵌合方向に沿って離間して並ぶように配置されているため、両ハウジング１０，７０の嵌合が進む過程では、カム溝６３とカムフォロア７３との係合位置を支点として両ハウジング１０，７０の姿勢が左右に傾くことが懸念される。その点、本実施形態では、両ハウジング１０，７０の嵌合過程で仕切壁７５が逃がし溝１６内に進入し、規制突起１９が第２規制面７６に摺接し、対をなす規制突起１９が、仕切壁７５を左右から挟むように当接するようになっている。この当接作用により、両ハウジング１０，７０間の姿勢の傾きが確実に防止されている。
【００４８】
また、規制突起１９は、両ハウジング１０，７０の嵌合方向に沿って延びるようにリブ状に形成され、規制突起１９の突出端縁が尖った形態となっているので、規制突起１９と第２規制面７６との間の接触面積が小さく抑えられている。これにより、仕切壁７５の外面（第２規制面７６）と逃がし溝１６の内面（第１規制面１７）との間の嵌合抵抗が低減されている。即ち、本実施形態によれば、嵌合抵抗の低減を図りながら両ハウジング１０，７０間の傾きを確実に防止することができる。
【００４９】
また、第２ハウジング７０には、通電時の電流値が異なる２種類の雄端子金具８０Ａ，８０Ｂが設けられているとともに、２種類の雄端子金具８０Ａ，８０Ｂを区画する仕切壁７５が形成され、第１ハウジング１０には、仕切壁７５を進入させるための逃がし溝１６が形成されているのであるが、本実施形態では、この仕切壁７５の外面と逃がし溝１６の内面を、ハウジング１０，７０間の傾きを規制するための規制面として有効に利用しているので、ハウジング１０，７０の形状の簡素化を図ることが実現されている。
【００５０】
また、規制突起１９は、第１規制面１７と第２規制面７６のうち逃がし溝１６の内面である第１規制面１７のみに配置されているが、このような配置形態によれば、規制突起１９が、逃がし溝１６内に収容されて外部からの干渉を受け難くなっているので、規制突起１９を変形や損傷から保護することができる。
【００５１】
上述のように、本実施形態においては、筒状嵌合部１３に、筒状嵌合部１３のうち溝部２２と対応する溝対応領域１３Ａの少なくとも一部と溝対応領域１３Ａに隣接する溝隣接領域１３Ｂの少なくとも一部とを外面側へ盛り上げた形態の補強部２３が形成されている。このように、筒状嵌合部１３に補強部２３を形成したことにより、筒状嵌合部１３のうち溝部２２と対応する溝対応領域１３Ａと溝対応領域１３Ａに隣接する溝隣接領域１３Ｂと部分的に厚肉とされており、この厚肉とされた部分は、筒状嵌合部１３のうち溝部２２の内面の角隅部を含む。したがって、筒状嵌合部１３に外力が作用しても、溝部２２の角隅部に応力が集中することがなく、溝部２２の角隅部の先端から窓孔２０の開口縁に至る亀裂が発生する虞はない。これにより、溝部２２と窓孔２０が形成されている筒状嵌合部１３の破損が防止されている。
【００５２】
また、筒状嵌合部１３が外力の作用に起因して亀裂を生じる場合、亀裂は筒状嵌合部１３の前端縁（先端縁）を始端として発生し易いのであるが、本実施形態では、補強部２３が、筒状嵌合部１３の前端縁に沿ってリブ状に延びた形態の第１リブ状突起２３Ａを有しているので、筒状嵌合部１３の先端縁を始端として亀裂が生じる虞はない。
【００５３】
また、筒状嵌合部１３に外力が作用したときに生じ得る亀裂の発生領域は、筒状嵌合部１３の先端縁から窓孔２０の開口縁に至る範囲となるのであるが、本実施形態では、補強部２３を構成する第２リブ状突起２３Ｂが、亀裂が発生し得る領域に亘ってリブ状に延びているので、亀裂の発生を確実に防止することができる。
【００５４】
また、窓孔２０の開口縁は、開口縁のうち筒状嵌合部１３の前端縁に近い前縁２１Ｆの端部に位置する角縁部２１Ｃを有しているのであるが、このように、窓孔２０の開口縁が角縁部２１Ｃを含む形態である場合、筒状嵌合部１３に外力が作用したときにその角縁部２１Ｃに応力が集中し、角縁部２１Ｃを基端又は終端とする亀裂が筒状嵌合部１３に発生することが懸念される。この点に鑑み、本実施形態では、補強部２３が、角縁部２１Ｃに臨む第３リブ状突起２３Ｃを有する構成としている。これにより、筒状嵌合部１３に外力が作用したときに、角縁部２１Ｃに応力が集中することが回避されるので、角縁部２１Ｃを基端又は終端とする亀裂が筒状嵌合部１３に発生することが防止される。
【００５５】
＜他の実施形態＞
本発明は上記記述及び図面によって説明した実施形態に限定されるものではなく、例えば次のような実施態様も本発明の技術的範囲に含まれる。
（１）上記実施形態では、補強部が、筒状嵌合部の先端縁に沿ってリブ状に延びる部分（第１リブ状突起）を有するが、補強部は、筒状嵌合部の先端縁に沿ってリブ状に延びる部分を有しない形態であってもよい。
（２）上記実施形態では、補強部のうち筒状嵌合部の先端縁に沿って配される部分が、複数の溝部と対応するように連続してリブ状に延びた形態であったが、補強部のうち筒状嵌合部の先端縁に沿って配される部分は、１つの溝部と個別に対応するように複数箇所に分散して配置されていてもよい。
（３）上記実施形態では、補強部が、筒状嵌合部の先端縁から窓孔の開口縁に亘って概ね前後方向に延びるリブ状の部分（第２リブ状突起）を含むが、補強部は、概ね前後方向に延びる部分を有しな形態であってもよい。
（４）上記実施形態では、補強部が、窓孔の開口縁のうち角縁部に臨む部分（第３リブ状突起）を有するが、補強部は、窓孔の開口縁の角縁部に臨む部分を有しない形態であってもよい。
（５）上記実施形態では、補強部が、筒状嵌合部の先端縁から窓孔の開口縁に至る全領域に亘って概ね前後方向に延びるリブ状の部分を含む形態となっているが、この概ね前後方向の延びるリブ状の部分の形成範囲は、筒状嵌合部の先端縁から窓孔の開口縁の近傍位置に至る領域に限定されていてもよく、筒状嵌合部の先端縁の近傍位置から窓孔の開口縁に至る領域に限定されていてもよく、筒状嵌合部の先端縁の近傍位置から窓孔の開口縁の近傍位置に至る領域に限定されていてもよい。
（６）上記実施形態では、レバーを用いて両ハウジングを嵌合するコネクタについて説明したが、本発明は、レバーを用いずに両ハウジングを嵌合する形態のコネクタにも適用できる。
（７）上記実施形態では、筒状嵌合部を構成する壁部のうち窓孔が形成されている壁部と同じ壁部に形成されている溝部の数を３本としたが、この溝部の数は、２本以下でもよく、４本以上でもよい。
【００５６】
また、特許文献２に記載されたコネクタにおいて懸念される課題を解決するための手段Ａ〜Ｃ記載された発明は、上記記述及び図面によって説明した実施形態に限定されるものではなく、例えば次のような実施態様も手段Ａ〜Ｃに記載された発明の技術的範囲に含まれる。
（１）上記実施形態では、規制突起をレバーが設けられていない第２ハウジング側のみに設けたが、規制突起は、レバーが設けられている第１ハウジング側のみに設けてもよく、第１ハウジング側と第２ハウジング側の両方に設けてもよい。
（２）上記実施形態では、レバーが設けられている側の第１ハウジングに仕切壁を設け、第２ハウジングに逃がし溝を設けたが、手段Ａ〜Ｃに記載された発明は、第１ハウジングに逃がし溝を設け、第２ハウジングに仕切壁を設けた形態のコネクタににも適用できる。
（３）上記実施形態では、規制突起を逃がし溝の内面のみに設けたが、規制突起は、仕切壁の外面のみに設けてもよく、逃がし溝の内面と仕切壁の外面の両方に設けてもよい。
（４）上記実施形態では、仕切壁と逃がし溝を規制面として有効利用したが、規制面は、仕切壁及び逃がし溝以外の部位に配置してもよい。
（５）上記実施形態では、仕切壁（逃がし溝）を２つ設けたが、仕切壁（逃がし溝）の数は、１つでもよく、３つ以上でもよい。
【符号の説明】
【００５７】
１０…第１ハウジング
１２…端子収容部
１３…筒状嵌合部
１３Ａ…溝対応領域
１３Ｂ…溝隣接領域
２０…窓孔
２２…溝部
２３…補強部
７０…第２ハウジング
７１…端子保持部
７２…フード部
７４…突部
【図１】
2011040327.tif 000003
【図２】
2011040327.tif 000004
【図３】
2011040327.tif 000005
【図４】
2011040327.tif 000006
【図５】
2011040327.tif 000007
【図６】
2011040327.tif 000008
【図７】
2011040327.tif 000009
【図８】
2011040327.tif 000010
【図９】
2011040327.tif 000011
【図１０】
2011040327.tif 000012